(57)【要約】【課題】コンロバーナのバーナヘッドが誤セット状態であることに気付かないままコンロバーナの燃焼を行うことを防止できるようにする。【解決手段】バーナボディ３２にバーナヘッド３３が正しく載置されたことを検出するバーナヘッド検出手段８と、バーナヘッド検出手段８でバーナヘッド３３が正しく載置されたと検出されないとき、即ち、バーナヘッド３３の誤セット時に、コンロバーナ３を燃焼不能状態にする燃焼制限手段９とを備える。燃焼制限手段９は、バーナ用操作子６による点火操作を行えないようにする点火操作阻止手段９２と、コンロバーナ３にガスが供給されないようにするガス供給停止手段９３との少なくとも一方を含む。また、バーナヘッド３３の誤セット時に作動する報知器１０を設ける。【選択図】図１
2006029612.tif 000002
【特許請求の範囲】
【請求項１】
バーナボディとバーナボディ上に着脱自在に載置されるバーナヘッドとで構成されるコンロバーナが設けられたガスコンロであって、
バーナボディにバーナヘッドが正しく載置されたことを検出するバーナヘッド検出手段と、
バーナヘッド検出手段でバーナヘッドが正しく載置されたと検出されないときに、コンロバーナを燃焼不能状態にする燃焼制限手段とを備えることを特徴とするガスコンロ。
【請求項２】
前記燃焼制限手段は、コンロバーナ用の操作子による点火操作を行えないようにする点火操作阻止手段と、コンロバーナにガスが供給されないようにするガス供給停止手段との少なくとも一方を含むことを特徴とする請求項１記載のガスコンロ。
【請求項３】
前記ガス供給停止手段は、コンロバーナ用の操作子による点火操作で押圧開弁され、コンロバーナの火炎検知素子の出力に基づいて開弁保持される電磁安全弁と、バーナヘッド検出手段でバーナヘッドが正しく載置されたと検出されないときに電磁安全弁への通電を断って電磁安全弁を閉弁させる制御手段とで構成され、前記燃焼制限手段として前記点火操作阻止手段を併用することを特徴とする請求項２記載のガスコンロ。
【請求項４】
前記バーナヘッド検出手段でバーナヘッドが正しく載置されたと検出されないときに作動する報知手段を備えることを特徴とする請求項１〜３の何れか１項に記載のガスコンロ。
【発明の詳細な説明】
【技術分野】
【０００１】
本発明は、バーナボディとバーナボディ上に着脱自在に載置されるバーナヘッドとで構成されるコンロバーナが設けられたガスコンロに関する。
【背景技術】
【０００２】
コンロバーナには、一般に、点火プラグや火炎検出用の熱電対が付設される。そのため、バーナボディを、これに形成した点火炎孔や火炎検出用炎孔が点火プラグや熱電対に臨むように、所定の位相でバーナヘッドに載置する必要がある。そこで、従来、バーナヘッドの誤セット防止対策として、バーナボディとバーナヘッドとに夫々凹部と凸部とを形成し、バーナヘッドが所定の位相で載置されたときに凹部に凸部が嵌合されるようにしたものが知られている（例えば、特許文献１参照）。
【０００３】
これによれば、バーナヘッドがバーナボディに所定の位相で正しく載置されていない場合、凸部が凹部に嵌合しないため、バーナヘッドが浮き、バーナヘッドが正しく載置されていないことを視覚的に認識できる。然し、ユーザの中には、バーナヘッドが浮いていても異常だとは思わない人もおり、極端な例では、バーナヘッドを上下逆さまにしてバーナボディに載置してしまう人もいる。そして、バーナヘッドが正しく載置されていないことに気付かずに、コンロバーナに点火してしまうことが間々ある。このようなバーナヘッドの誤セット状態では、コンロバーナに正常な炎が形成されず、うまく調理が行えなくなる。
【特許文献１】特開平６−１８５７０７号公報（段落００１２、図１、図４、図５）
【発明の開示】
【発明が解決しようとする課題】
【０００４】
本発明は、以上の点に鑑み、バーナヘッドが誤セット状態であることに気付かないままコンロバーナの燃焼を行うことを防止できるようにしたガスコンロを提供することをその課題としている。
【課題を解決するための手段】
【０００５】
上記課題を解決するために、本発明は、バーナボディとバーナボディ上に着脱自在に載置されるバーナヘッドとで構成されるコンロバーナが設けられたガスコンロにおける安全装置であって、バーナボディにバーナヘッドが正しく載置されたことを検出するバーナヘッド検出手段と、バーナヘッド検出手段でバーナヘッドが正しく載置されたと検出されないときに、コンロバーナを燃焼不能状態にする燃焼制限手段とを備えることを特徴とする。
【０００６】
本発明によれば、バーナヘッドが正しく載置されていないと、即ち、バーナヘッドが誤セット状態であると、コンロバーナは燃焼不能となる。そのため、バーナヘッドが誤セット状態であることに気付かずに、コンロバーナを使用しようとしても、コンロバーナの燃焼は行われず、正常な炎が形成されずに調理ミスを生ずることを未然に防止できる。
【０００７】
また、燃焼制限手段は、コンロバーナ用の操作子による点火操作を行えないようにする点火操作阻止手段と、コンロバーナにガスが供給されないようにするガス供給停止手段との少なくとも一方を含むものであることが望ましい。ここで、コンロバーナの燃焼中にバーナヘッドに鍋等が当たってバーナヘッドが誤セット状態になる可能性がある。この場合、点火操作阻止手段だけでは、コンロバーナの燃焼が継続してしまうが、ガス供給停止手段を設けておけば、燃焼中にバーナヘッドが誤セット状態になったときにも、コンロバーナへのガス供給が停止され消火される。
【０００８】
ところで、ガスコンロには、一般に、失火安全対策として、コンロバーナの火炎検知素子の出力に基づいて開弁保持される電磁安全弁が設けられている。そして、この電磁安全弁と、バーナヘッド検出手段でバーナヘッドが正しく載置されたと検出されないときに電磁安全弁への通電を断って電磁安全弁を閉弁させる制御手段とでガス供給停止手段を構成すれば、ガス供給停止手段のための専用バルブが不要になり、コストダウンを図れる。但し、電磁安全弁は、コンロバーナ用の操作子による点火操作で強制的に押圧開弁されるため、バーナヘッドの誤セット状態での点火操作が行われると、点火操作時に生ガスが放出される可能性がある。従って、ガス供給停止手段用のバルブとして電磁安全弁を用いる場合は、燃焼制限手段として点火操作阻止手段を併用し、バーナヘッドの誤セット状態での点火操作を行えないようにすることが望ましい。
【０００９】
また、本発明のようにバーナヘッドの誤セット状態でコンロバーナが燃焼不能になると、誤セットに気付かないユーザは故障であると誤解する可能性がある。従って、バーナヘッド検出手段でバーナヘッドが正しく載置されたと検出されないときに作動する報知手段を設け、ユーザが誤解しないようにすることが望ましい。
【発明を実施するための最良の形態】
【００１０】
図１を参照して、１はガスコンロのコンロ本体(図示せず)の上面を覆う天板である。天板１にはバーナ用開口２が開設されており、コンロ本体内に、バーナ用開口２に臨むようにコンロバーナ３を配置している。そして、天板１上に五徳４を介して載置する調理容器をコンロバーナ３の炎で加熱するようにしている。
【００１１】
コンロバーナ３は、混合管３１に連なる環状のバーナボディ３２上に環状のバーナヘッド３３を載置し、バーナヘッド３３の外周部下面の歯形により外向きに開口する多数の炎孔３４を形成して成る環状バーナで構成されている。バーナボディ３２は、板金製であって、内筒３２ａと外筒３２ｂとを有する。そして、外筒３２ｂに、バーナヘッド３３の歯形が着座する上端の着座部３２ｃと、着座部３２ｃから外方に張り出す煮こぼれカバー部３２ｄとを形成し、煮こぼれカバー部３２ｄに、バーナ用開口２内に落下する煮こぼれ汁を受ける環状の汁受け皿５を着脱自在に支持させている。また、バーナヘッド３３には、内筒３２ａに嵌合する内周の芯決め用筒部３３ａと、外筒３２ｂの一部に形成した外方への凹入部３２ｅに係合する位相決め用の凸部３３ｂとが形成されている。そして、バーナヘッド３３を凹入部３２ｅに凸部３３ｂが係合する正規の位相でバーナボディ３２に載置したとき、コンロバーナ３の周囲１箇所に臨ませて配置した火炎検知素子たる熱電対３５に、バーナヘッド３３に形成した火炎検知用の炎孔３４ａが正対するようにしている。尚、図示省略するが、コンロバーナ３の周囲には、熱電対３５に隣接させて点火プラグが配置され、バーナヘッド３３がバーナボディ３２に正規位相で載置されていれば、火炎検知用の炎孔３４ａに隣接するバーナヘッド３３の部分に形成した点火炎孔が点火プラグに正対する。
【００１２】
コンロバーナ３には、コンロ本体に軸支されるピン部６１を支点にして揺動する押しボタン式の操作子６で操作されるバルブユニット７を介してガスが供給される。バルブユニット７には、操作子６の裏面のボス部６２に対向する連動ブロック７１と、連動ブロック７１に押されて動くプッシュロッド７２と、プッシュロッド７２に対向する電磁安全弁７３と、プッシュロッド７２の中間部に取り付けた主弁７４とが設けられている。連動ブロック７１にはハートカム式のプッシュプッシュ機構７５が組み付けられている。そして、操作子６の１度目の押し操作によれば、連動ブロック７１がボス部６１に押されて復動端位置（図示の位置）から往動端位置に移動し、連動ブロック７１に追従するプッシュロッド７２の動きで主弁７４が開弁されると共に、電磁安全弁７３が強制的に押圧開弁されて、コンロバーナ３にガスが供給され、更に、図示省略した点火スイッチが閉成されて点火プラグでの火花放電が行われ、コンロバーナ３に点火される。この状態で操作子６の押し操作を解除すると、連動ブロック７１及びプッシュロッド７２が往動端位置から復動するが、この復動はプッシュプッシュ機構７５により中間位置で係止される。この状態では、主弁７４は開弁状態に維持されるが、プッシュロッド７２による電磁安全弁７３の押圧は解除され、電磁安全弁７３は熱電対３５の起電力で開弁保持されるようになる。そして、コンロバーナ３の失火で熱電対３５の起電力が低下すると、電磁安全弁７３が閉弁して、コンロバーナ３へのガス供給が停止される。操作子６の２度目の押し操作によれば、連動ブロック７１の中間位置での係止が解除されて、連動ブロック７１及びプッシュロッド７２が復動端位置に復帰し、主弁７４が閉弁されて、コンロバーナ３へのガス供給が停止される。
【００１３】
また、バルブユニット７には、主弁７４の下流側に位置させて、ガス量調節弁７６が組み込まれている。この調節弁７６は、火力調節レバー７６ａによりカム７６ｂを介して進退動作されるニードル弁で構成されている。そして、ガス流量調節弁７６からノズル７７を介してコンロバーナ３の混合管３１にガスが供給されるようにしている。
【００１４】
以上の構成において、本実施形態では、バーナボディ３２にバーナヘッド３３が正しく載置されたことを検出するバーナヘッド検出手段８と、バーナヘッド検出手段８でバーナヘッドが正しく載置されたと検出されないとき、即ち、バーナヘッド３３の誤セット時に、コンロバーナ３を燃焼不能状態にする燃焼制限手段９とを設けている。バーナヘッド検出手段８は、バーナヘッド３３の芯決め用筒部３３ａから下方にのびる検出片８１と、バーナヘッド３３の凸部３３ｂをバーナボディ３２の凹入部３２ｅに係合させた状態でバーナヘッド３３がバーナボディ３２に正しく載置されたときの検出片８１の位置を基準位置として、検出片８１が基準位置に存するときにこれを検出する検出器８２とで構成される。検出器８２としては、リミットスイッチ、リードスイッチ、近接スイッチ、光学センサ、重量センサ等を用いることができる。
【００１５】
燃焼制限手段９は、検出器８２からの信号を入力する制御器９１と、制御器９１により制御される２つの手段、即ち、コンロバーナ３用の操作子６による点火操作を阻止する点火操作阻止手段９２と、コンロバーナ３にガスが供給されないようにするガス供給停止手段９３とで構成される。点火操作阻止手段９２は、操作子６による点火操作、即ち、操作子６の押し操作を許容する不作動位置（図１の実線示の位置）と操作子６の押し操作を不能にする作動位置（図１の仮想線示の位置）とに進退自在なロック片９２１と、ロック片９２１の駆動源９２２とで構成されている。駆動源９２２としては、ソレノイド、モータ等を用いることができる。そして、検出片８１が基準位置に存することを検出器８２で検出できないときには、制御器９１により駆動源９２２を介してロック片９２１を作動位置に進出させるようにしている。かくして、バーナヘッド３３の誤セット状態では、操作子６を押し操作できなくなり、コンロバーナ３に点火されることはない。
【００１６】
ガス供給停止手段９３は、電磁安全弁７３と、電磁安全弁７３に対する熱電対３５の接続回路３５ａに開設したスイッチ９３１とで構成されている。そして、検出片８１が基準位置に存することを検出器８２で検出できないときには、制御器９１によりスイッチ９３１を開成するようにしている。これによれば、コンロバーナ３に点火後、バーナヘッド３３に鍋等が当たってバーナヘッド３３が誤セット状態になった場合、電磁安全弁７３に熱電対３５からの起電力が通電されなくなり、電磁安全弁７３が閉弁して、コンロバーナ３へのガス供給が停止され消火される。
【００１７】
尚、本実施形態では、熱電対３５の起電力で直接的に電磁安全弁７３を開弁保持するようにしているが、制御器９１で熱電対３５の起電力を監視し、基準以上の起電力が発生しているときに、制御器９１から電磁安全弁７３に通電して、電磁安全弁７３を開弁保持するようにしても良い。この場合、検出片８１が基準位置に存することを検出器８２で検出できないときには、制御器９１により電磁安全弁７３への通電を停止する。このものでは、制御器９１と電磁安全弁７３とでガス供給停止手段９３が構成されることになる。
【００１８】
ところで、バーナヘッド３３の誤セット状態で燃焼制限手段９の働きによりコンロバーナ３が燃焼不能になると、誤セットに気付かないユーザは故障であると誤解する可能性がある。そこで、本実施形態では、制御器９１で制御される報知器１０を設けている。そして、検出片８１が基準位置に存することを検出器８２で検出できないときに報知器１０を作動させ、ユーザが誤解しないようにしている。報知器１０としては、ブザーやランプ、更には、バーナヘッド３３が誤セット状態である旨を音声で報知するものを用いることができる。
【００１９】
図２は第２実施形態を示している。このものでは、一端１１ａが検出片８１に臨み、他端１１ｂが操作子６に臨むレバー１１を設けている。レバー１１は、中間の支点部１１ｃでコンロ本体内に揺動自在に支持され、更に、図示省略したばねで一端１１ａ側が上動する方向に付勢されている。そして、バーナヘッド３３が正しく載置されているときは、レバー１１の一端１１ａが検出片８１により押し下げられ、レバー１１の他端１１ｂが上動して（図２の実線示の状態）、操作子６の押し操作が許容されるが、バーナヘッド３３の誤セット状態では、レバー１１の一端１１ａが上動して他端１１ｂが下動し（図２の仮想線示の状態）、他端１１ｂが操作子６のボス部６２に対向して、操作子６の押し操作が阻止される。かくして、検出片８１とレバー１１の一端１１ａとで機械式のバーナヘッド検出手段８が構成され、また、レバー１１の他端１１ｂでバーナヘッド検出手段８に機械的に連動する点火操作阻止手段９２が構成される。
【００２０】
また、第２実施形態では、レバー１１の一端１１ａが押し下げられたときにレバー１１に当接して閉成されるリミットスイッチ９３２を設け、このリミットスイッチ９３２を電磁安全弁７３に対する熱電対３５の接続回路３５ａに介設している。従って、バーナヘッド３３の誤セット状態では、リミットスイッチ９３２が開成され、電磁安全弁７３への熱電対３５の起電力の通電が断たれて、電磁安全弁７３が閉弁される。かくして、電磁安全弁７３とリミットスイッチ９３２とでガス供給停止手段９３が構成され、コンロバーナ３の点火後にバーナヘッド３３が誤セット状態になったときに、コンロバーナ３を消火できる。
【００２１】
以上、燃焼制限手段９として点火操作阻止手段９２とガス供給停止手段９３とを設けた実施形態について説明したが、点火操作阻止手段９２とガス供給停止手段９３との一方のみを設けることも可能である。
【００２２】
また、上記実施形態では、ガス供給停止手段９３用のバルブとして電磁安全弁７３を用いているが、電動式のガス量調節弁を設け、バーナヘッド３３の誤セット時に制御器９１によりガス量調節弁を閉弁させるようしても良い。また、ガス供給停止手段９３用の専用電磁弁を設けることも可能である。但し、電動式のガス量調節弁や専用電磁弁を設けると、コストが高くなる。そのため、コストダウンを図るには、電磁安全弁７３をガス供給停止手段９３用のバルブに兼用することが望ましい。ここで、バーナヘッド３３の誤セット状態では、点火プラグに火花放電を生じてもうまく点火しないため、操作子６を押し続けることがあり、その間電磁安全弁７３は押圧開弁されたままになって生ガスが放出されてしまう。従って、電磁安全弁７３をガス供給停止手段９３用のバルブに兼用する場合は、点火操作阻止手段９２を併用し、生ガスの放出を防止することが望ましい。
【００２３】
また、上記実施形態では、バーナヘッド３３の芯決め用筒部３３ａに垂設した検出片８１を用いてバーナヘッド検出手段８を構成しているが、これに限るものではなく、例えば、バーナボディ３２の凹入部３２ｅに、これへのバーナヘッド３３の凸部３３ｂの係合を検出する近接スイッチ等の検出器を埋設し、この検出器でバーナヘッド検出手段８を構成することも可能である。
【図面の簡単な説明】
【００２４】
【図１】本発明の第１実施形態のガスコンロの要部の切断面図。
【図２】本発明の第２実施形態のガスコンロの要部の切断面図。
【符号の説明】
【００２５】
３…コンロバーナ、３２…バーナボディ、３３…バーナヘッド、３５…熱電対（火炎検知素子）、６…操作子、７…バルブユニット、７３…電磁安全弁、８…バーナヘッド検出手段、９…燃焼制限手段、９２…点火操作阻止手段、９３…ガス供給停止手段、１０…報知器。
【図１】
2006029612.tif 000003
【図２】
2006029612.tif 000004